(57)【要約】  【課題】  モータやドリル駆動装置を必要とせず、安価で構造が簡単であり、ＨＤＤを確実に物理的に破壊することができて、プライバシーを守ることができる。【解決手段】  天板１に凹所２が設けられ、凹所の下壁２ａに雌ねじ部２ｂが形成され、角柱状の頭部３ａを有するドリル３の軸部に形成された雄ねじ部３ｂが凹所の下壁の雌ねじ部に螺合され、凹所内に内部にドリルの角柱状の頭部が嵌合される角孔部４ａを有するノブ４がその上部４ｂが凹所より上向きに突出するように配置され、ドリルの下側にはＨＤＤ６を載置する載置台７が配置され、天板の凹所の上端に蓋８を閉める切り込み部１ａが設けられ、載置台にＨＤＤを載置した状態でノブを回転し、ノブの回転と一体にドリルが回転されて下向きに移動し、ドリルの先端でＨＤＤに穴を開けてＨＤＤを破壊し、破壊した後にノブを凹所より取り除き、切り込み部に蓋を配置して凹所を閉める。【選択図】  図１
2008108343.tif 000002
【特許請求の範囲】
【請求項１】
ＨＤＤにドリルの先端で穴を開けて前記ＨＤＤを破壊するようにしたＨＤＤ破壊装置において、天板に下向きに凹所が設けられ、この凹所の下壁の略中央部に雌ねじ部が形成され、上端に角柱状の頭部を有するドリルの軸部に形成された雄ねじ部が前記凹所の下壁の雌ねじ部に螺合されており、前記凹所内には内部に前記ドリルの角柱状の頭部が嵌合される角孔部を有するノブがその上部が前記凹所より上向きに突出するように配置され、前記ドリルの下側にはＨＤＤを載置する載置台が配置され、前記天板の凹所の上端に蓋を閉めるための切り込み部が設けられていて、前記載置台にＨＤＤを載置した状態で前記ノブを回転することにより、このノブの回転と一体に前記ドリルが回転されて下向きに移動し、このドリルの鋭角な先端で前記ＨＤＤに穴を開けて前記ＨＤＤを破壊するように構成し、破壊した後に前記ノブを前記凹所より取り除き、前記切り込み部に蓋を配置して前記凹所を閉めるようにしたことを特徴とするＨＤＤ破壊装置。
【請求項２】
ＨＤＤにドリルの先端で穴を開けて前記ＨＤＤを破壊するようにしたＨＤＤ破壊装置において、天板に下向きに凹所が設けられ、この凹所の下壁の略中央部に雌ねじ部が形成され、上端に角柱状の頭部を有するドリルの軸部に形成された雄ねじ部が前記凹所の下壁の雌ねじ部に螺合されており、前記凹所内には内部に前記ドリルの角柱状の頭部が嵌合される角孔部を有するノブがその上部が前記凹所より上向きに突出するように配置され、前記ドリルの下側にはＨＤＤを載置する載置台が配置されていて、前記載置台にＨＤＤを載置した状態で前記ノブを回転することにより、このノブの回転と一体に前記ドリルが回転されて下向きに移動し、このドリルの鋭角な先端で前記ＨＤＤに穴を開けて前記ＨＤＤを破壊するように構成したことを特徴とするＨＤＤ破壊装置。
【請求項３】
前記凹所は前記天板と別体に形成されて凹所形成板状体とされ、この凹所形成板状体の上端に横向きに突出する鍔状部が形成され、この鍔状部が前記天板にビス止めされており、前記凹所形成板状体の下壁に上向きに突出するＬ字形の係止片が形成され、この係止片が前記ノブの下側の外周面の全周に形成された係止溝に係入係止されている請求項２に記載のＨＤＤ破壊装置。
【発明の詳細な説明】
【技術分野】
【０００１】
本発明は、ＨＤＤにドリルの先端で穴を開けて前記ＨＤＤを破壊するようにしたＨＤＤ破壊装置に関するものである。
【背景技術】
【０００２】
第１の従来技術を図３（ａ）（ｂ）に示す。この従来の記録媒体破壊装置は、図３（ａ）（ｂ）に示すように、本体装置１５１と、監視装置１５０によって構成されている。すなわち本体装置１５１は、モータ１０３を固定する固定台１２０とハードディスク固定台１０５等を備え、監視装置１５０は、ビデオカメラ１１０等を具備するものである。本体装置１５１にはモータ１０３が固定されており、さらにモータ１０３には、減速機１０２が設けられている。モータ１０３は、減速機１０２を介して下面に複数の下向きのピン１０１を固着した駆動部１０４を支持している。駆動部１０４は、モータ１０３を正回転又は逆回転させることにより、上下方向に往復移動させることができるようになっている。即ち駆動部１０４は、回転することなく直線的に上下方向に往復移動する。駆動部１０４の下方には、ハードディスク固定台１０５が設置されている。
【０００３】
ハードディスク固定台１０５には、ハードディスク１１５を所定位置に配置するためのガイド部材１０６が設けてある。ガイド部材１０６にガイドされたハードディスク１１５は、データ記録部分の真上に少なくとも１本のピン１０１がくるようにハードディスク固定台１０５上に水平方向に移動不能に配置される。また、ハードディスク固定台１０５上には、押しボタン式のスイッチ１０７が設置されている。スイッチ１０７は、ハードディスク１１５がハードディスク固定台１０５上に配置された際に、ハードディスク１１５の下面で押し下げられ、ハードディスク１１５がハードディスク固定台１０５上に配置されたことを検出し、この検出信号を図示しない信号線を介して監視装置１５０に伝送する機能を有している。駆動部１０４の複数のピン内の一本、あるいは複数本のピン１０１を中空にしてその内部に接着剤（樹脂）１６０を流通させる。そしてピン１０１をハードディスク１１５に突き刺した後、ピン１０１を通じてハードディスク１１５のケース１３８内に接着剤１６０を流し込む。（例えば、特許文献１参照）。
【０００４】
ところが、これにおいては、モータ１０３を必要とするためにコスト高になるという問題があり、構造が複雑であるという問題があった。
【０００５】
第２の従来技術を図４、図５に示す。この従来のハードディスク破壊装置は、図４、図５に示すように、ドリル駆動装置２０３を支柱２１２で支持し、ドリル駆動装置２０３を昇降移動させ得る構成とし、ドリル駆動装置２０３の下方には、ハードディスク装置を載置する支持台２５１が配置され、受け部材２１３と固定部材２５６とによってハードディスクドライブ装置を挟持固定する固定装置２０５を備える。固定装置２０５には、３．５インチハードディスク装置の配置姿勢を示す第１案内面２３２と、２．５インチハードディスク装置の配置姿勢を示す第２案内面２３１が設けられ、複数種類のハードディスクドライブ装置に対して、それぞれ適切な位置に穿孔できる構成となっている。（例えば、特許文献２参照）。
【０００６】
ところが、これにおいては、ドリル駆動装置２０３を必要とするために、コスト高になるという問題があり、構造が複雑であるという問題があった。
【特許文献１】特開２００６−４６００号公報
【特許文献２】特開２００４−１５８１７２号公報
【発明の開示】
【発明が解決しようとする課題】
【０００７】
本発明は、上記従来の問題に鑑みてなされたものであって、モータやドリル駆動装置を必要とせず、安価で構造が簡単であり、ＨＤＤを確実に物理的に破壊することができて、プライバシーを守ることができるＨＤＤ破壊装置を提供することを目的としている。
【課題を解決するための手段】
【０００８】
本発明は、上記課題を解決するために提案されたものであって、請求項１に記載の発明は、ＨＤＤにドリルの先端で穴を開けて前記ＨＤＤを破壊するようにしたＨＤＤ破壊装置において、天板に下向きに凹所が設けられ、この凹所の下壁の略中央部に雌ねじ部が形成され、上端に角柱状の頭部を有するドリルの軸部に形成された雄ねじ部が前記凹所の下壁の雌ねじ部に螺合されており、前記凹所内には内部に前記ドリルの角柱状の頭部が嵌合される角孔部を有するノブがその上部が前記凹所より上向きに突出するように配置され、前記ドリルの下側にはＨＤＤを載置する載置台が配置され、前記天板の凹所の上端に蓋を閉めるための切り込み部が設けられていて、前記載置台にＨＤＤを載置した状態で前記ノブを回転することにより、このノブの回転と一体に前記ドリルが回転されて下向きに移動し、このドリルの鋭角な先端で前記ＨＤＤに穴を開けて前記ＨＤＤを破壊するように構成し、破壊した後に前記ノブを前記凹所より取り除き、前記切り込み部に蓋を配置して前記凹所を閉めるようにしたことを特徴としている。
【０００９】
請求項２に記載の発明は、ＨＤＤにドリルの先端で穴を開けて前記ＨＤＤを破壊するようにしたＨＤＤ破壊装置において、天板に下向きに凹所が設けられ、この凹所の下壁の略中央部に雌ねじ部が形成され、上端に角柱状の頭部を有するドリルの軸部に形成された雄ねじ部が前記凹所の下壁の雌ねじ部に螺合されており、前記凹所内には内部に前記ドリルの角柱状の頭部が嵌合される角孔部を有するノブがその上部が前記凹所より上向きに突出するように配置され、前記ドリルの下側にはＨＤＤを載置する載置台が配置されていて、前記載置台にＨＤＤを載置した状態で前記ノブを回転することにより、このノブの回転と一体に前記ドリルが回転されて下向きに移動し、このドリルの鋭角な先端で前記ＨＤＤに穴を開けて前記ＨＤＤを破壊するように構成したことを特徴としている。
【００１０】
請求項３に記載の発明は、請求項２に記載の発明において、前記凹所は前記天板と別体に形成されて凹所形成板状体とされ、この凹所形成板状体の上端に横向きに突出する鍔状部が形成され、この鍔状部が前記天板にビス止めされており、前記凹所形成板状体の下壁に上向きに突出するＬ字形の係止片が形成され、この係止片が前記ノブの下側の外周面の全周に形成された係止溝に係入係止されている。
【発明の効果】
【００１１】
請求項１に記載の発明によれば、モータやドリル駆動装置を必要としないので、安価であり、構造を簡単化することができる。更に、天板に設けた凹所にノブが入り込んでいるので、ノブのがたつきがなくノブの操作を行い易い。また、天板の凹所の下壁の略中央部に形成された雌ねじ部とドリルの軸部に形成された雄ねじ部の螺合により、ノブを回転させるとドリルが上下移動するので、確実にドリルを上下移動することができ、ドリルの下向きの移動で載置台上のＨＤＤに穴を開けてＨＤＤを確実に破壊することができ、プライバシーを守ることができる。更に、使用しないときには、天板の凹部からノブを取り除いて天板の切り込み部に蓋を配置することによって、外部から凹所に塵や塵等が入り込むことを防ぐことができると共に、不用意にドリルが回転されることを防ぐことができるから、安全性に優れたものとすることができる。
【００１２】
請求項２に記載の発明によれば、モータやドリル駆動装置を必要としないので、安価であり、構造を簡単化することができる。更に、天板に設けた凹所にノブが入り込んでいるので、ノブのがたつきがなくノブの操作を行い易い。また、天板の凹所の下壁の略中央部に形成された雌ねじ部とドリルの軸部に形成された雄ねじ部の螺合により、ノブを回転させるとドリルが上下移動するので、確実にドリルを上下移動することができ、ドリルの下向きの移動で載置台上のＨＤＤに穴を開けてＨＤＤを確実に破壊することができ、プライバシーを守ることができる。
【００１３】
請求項３に記載の発明によれば、天板と凹所形成板状体とが別体に形成されているから、製作を簡単化することができる。また、凹所形成板状体の下壁に設けられた上向きに突出するＬ字形の係止片がノブの下側の外周面の全周に形成された係止溝に係入係止されているから、ノブを凹所形成板状体の内部に回転自由に保持できて、ノブが外れることを防止できると共にノブの回転操作を行い易い利点がある。
【発明を実施するための最良の形態】
【００１４】
以下、本発明に係るＨＤＤ破壊装置の実施の形態について、図を参照しつつ説明する。
【００１５】
図１は本発明の第１実施形態のＨＤＤ破壊装置を示し、（ａ）はその構造を示す断面図、（ｂ）は（ａ）の状態からノブを取り除いて蓋を閉めた状態の断面図である。
【００１６】
この第１実施形態のＨＤＤ破壊装置は、図１（ａ）に示すように、天板１に下向きに凹所２が設けられ、この凹所２の下壁２ａの略中央部に雌ねじ部２ｂが形成されている。更に、上端に六角形の頭部３ａを有するドリル３の軸部に形成された雄ねじ部３ｂが凹所２の下壁２ａの雌ねじ部２ｂに螺合されている。凹所２内には内部にドリル３の六角形の頭部３ａが嵌合される六角形の孔部４ａを有するノブ４がその上部４ｂが凹所２より上向きに突出するように配置されている。更に、ドリル３の下側には筐体５の底面にＨＤＤ６を載置する載置台７が配置されている。また、天板１の凹所２の上端に後述する蓋８を閉めるための切り込み部１ａが設けられている。
【００１７】
載置台７にＨＤＤ６を載置した状態でノブ４を回転すると、このノブ４の回転と一体にドリル３が回転され、雄ねじ部３ｂと雌ねじ部２ｂの螺合によってドリル３が下向きに移動し、ドリル３の鋭角な先端３ｃでＨＤＤ６に穴が開けられてＨＤＤ６が破壊される。ＨＤＤ６が破壊された後に、図１（ｂ）に示すように、ノブ４を取り除き、天板１の切り込み部１ａに蓋８を配置して凹所２が閉められるようにしている。
【００１８】
従って、第１実施形態によれば、モータやドリル駆動装置を必要としないので、安価であり、構造を簡単化することができる。更に、天板１に設けた凹所２にノブ４が入り込んでいるので、ノブ４のがたつきがなくノブ４の操作を行い易い。また、天板１の凹所２の下壁２ａの略中央部に形成された雌ねじ部２ｂとドリル３の軸部に形成された雄ねじ部３ｂの螺合により、ノブ４を回転させるとドリル３が上下移動するので、確実にドリル３を上下移動することができ、ドリル３の下向きの移動で載置台７上のＨＤＤ６に穴を開けてＨＤＤ６を確実に破壊することができ、プライバシーを守ることができる。更に、使用しないときには、天板１の凹部２からノブ４を取り除いて天板１の切り込み部１ａに蓋８を配置することによって、外部から凹所２に塵や塵等が入り込むことを防ぐことができると共に、不用意にドリル３が回転されることを防ぐことができるから、安全性に優れたものとすることができる。
【００１９】
図２は第２実施形態のＨＤＤ破壊装置の構造を示す断面図である。
【００２０】
この第２実施形態のＨＤＤ破壊装置は、図２に示すように、凹所２を形成する凹所形成板状体２Ａが天板１と別体に形成され、この凹所形成板状体２Ａの上端に横向きに突出する鍔状部２ｃが形成され、この鍔状部２ｃが天板１にビス９で取り付けられている。更に、凹所形成板状体２Ａの下壁２ｄに上向きに突出するＬ字形の係止片２ｅが形成され、この係止片２ｅがノブ４の外周面の全周に形成された係止溝４ｃに係入係止されている。
【００２１】
この第２実施形態によれば、天板１と凹所形成板状体２Ａとが別体に形成されているから、製作を簡単化することができる。また、凹所形成板状体２Ａの下壁２ｄに設けられた上向きに突出するＬ字形の係止片２ｅがノブ４の下側の外周面の全周に形成された係止溝４ｃに係入係止されているから、ノブ４を凹所形成板状体２Ａの内部に回転自由に保持できて、ノブ４が外れることを防止できると共にノブ４の回転操作を行い易い利点がある。
【００２２】
尚、上記実施形態では、ノブ４の孔部４ａとドリル３の頭部３ａが六角形のものについて説明したが、これに限らず、例えば、４角形などの他の角形でもよいことは勿論である。
【図面の簡単な説明】
【００２３】
【図１】本発明の第１実施形態のＨＤＤ破壊装置を示し、（ａ）はその構造を示す断面図、（ｂ）は（ａ）の状態からノブを取り除いて蓋を閉めた状態の断面図である。
【図２】第２実施形態のＨＤＤ破壊装置の構造を示す断面図である。
【図３】従来の記録媒体破壊装置を示し、（ａ）はその正面図、（ｂ）はその駆動部のピンがハードディスクを貫いた状態の部分断面斜視図である。
【図４】従来のハードディスク破壊装置における外カバーを外した状態の正面図である。
【図５】同破壊装置の固定装置の構成を示す平面図である。
【符号の説明】
【００２４】
１      天板
１ａ    切り込み部
２      凹所
２Ａ    凹所形成板状体
２ａ    下壁
２ｂ    雌ねじ部
２ｃ    鍔状体
２ｄ    下壁
２ｅ    係止片
３      ドリル
３ａ    六角形の頭部
３ｂ    雄ねじ部
３ｃ    鋭角な先端
４      ノブ
４ａ    六角形の孔部
４ｂ    上部
４ｃ    係止溝
５      筐体
６      ＨＤＤ
７      載置台
８      蓋
９      ビス
【図１】
2008108343.tif 000003
【図２】
2008108343.tif 000004
【図３】
2008108343.tif 000005
【図４】
2008108343.tif 000006
【図５】
2008108343.tif 000007